(57)【要約】      （修正有）【課題】使用しない番手の表示を紛失することがなく、しかも、瞬時に番手を判断することができるゴルフクラブのヘッドカバーを提供する。【解決手段】ゴルフクラブのヘッドカバー１０は、ヘッドカバー部１２と、シャフトカバー部と、番手表示手段１６とを含んで構成されている。番手表示手段１６は、ヘッドカバー部１２に設けられ、番手表示部と、番手部２００２を有する細長形状の番手表示片２０と、番手表示片２０の長手方向の半部の挿入を可能とする番手表示片挿入部２２と、番手部２００２を番手表示部に着脱可能に保持する保持手段２４を有する。【選択図】図７
0003154494.tif 000002
【実用新案登録請求の範囲】
【請求項１】
ゴルフクラブのヘッドを覆うヘッドカバー部と、前記ヘッドカバー部に設けられた番手表示手段とを備えるゴルフクラブのヘッドカバーであって、
前記番手表示手段は、前記ヘッドカバー部の表面に位置する第１の表面片の表面に設けられた番手表示部と、細長形状を呈し長手方向の両端の両面に互いに異なる番手が表示された番手部を有する番手表示片と、前記第１の表面片とこの第１の表面片の裏側に位置する第２の表面片との間に形成され前記番手表示片の長手方向の半部の挿入を可能とした番手表示片挿入部と、前記番手部を前記番手表示部に着脱可能に保持する保持手段とで構成され、
前記番手表示片はその長手方向の半部が前記番手表示片挿入部に挿入され、長手方向の残りの半部が折曲されて前記番手表示部に重ね合わされ前記保持手段を介して前記番手表示部に取着される、
ゴルフクラブのヘッドカバー。
【請求項２】
前記番手表示片は、前記番手部よりも小さい寸法の幅で形成され長手方向の両端の番手部を接続する折曲可能な接続片部を含んで構成されている、
請求項１記載のゴルフクラブのヘッドカバー。
【請求項３】
前記ヘッドカバーは、前記ヘッドカバー部に続きゴルフクラブのシャフト部分を覆うシャフトカバー部をさらに備え、
前記第１の表示片は、前記シャフトカバー部に対向する対向部分を有し、
前記対向部分を除く前記第１の表示片の周囲は前記第２の表示片に取着され、
前記対向部分とこの対向部分に接する第２の表示片の部分とで、前記番手表示片挿入部に前記番手表示片を挿入する挿入口が形成されている、
請求項１または２記載のゴルフクラブのヘッドカバー。
【請求項４】
前記保持手段は、前記番手部に取着された磁石で構成されている、
請求項１乃至３に何れか１項記載のゴルフクラブのヘッドカバー。
【請求項５】
前記保持手段は、前記番手表示部に取着された強磁性体または磁石の一方と、前記番手部に取着された強磁性体または磁石の他方とで構成されている、
請求項１乃至３に何れか１項記載のゴルフクラブのヘッドカバー。
【請求項６】
前記保持手段は、前記番手表示部に取着された面ファスナーと、前記番手部に取着され前記面ファスナーに着脱可能な面ファスナーとで構成されている、
請求項１乃至３に何れか１項記載のゴルフクラブのヘッドカバー。
【請求項７】
前記番手表示部には、前記番手表示片の前記番手部に表示された番手とは異なった番手が表示されている、
請求項１乃至６に何れか１項記載のゴルフクラブのヘッドカバー。
【考案の詳細な説明】
【技術分野】
【０００１】
本考案は、ゴルフクラブのヘッドカバーに関し、より詳細には、フェアウェイウッドやユーティリティクラブなどのヘッドカバーに関する。
フェアウェイウッドは、主にフェアウェイ上において使用するウッド形状のクラブであり、３番、４番、５番、７番などの複数種類の番手が提供されている。
また、ユーティリティクラブは、ロングアイアンとフェアウェイウッドとの中間的なクラブであり、フェアウェイウッドと同様に、２番、３番、４番、５番などの複数種類の番手が提供されている。
そして、フェアウェイウッド用のヘッドカバーや、ユーティリティクラブ用のヘッドカバーがそれらクラブとは別に単品で売られている。
【背景技術】
【０００２】
ゴルファーは、一般に、ゴルフバックの中に、ウッド（ドライバー）やアイアンセットに加え、複数種類のフェアウェイウッドや複数種類のユーティリティクラブを揃えている。
そのため、単品で売られるゴルフクラブのヘッドカバーには、使用時に何番手かが分かるように、３、４、５、７などの数字が選択的に表示できるようになっている。
この種のゴルフクラブのヘッドカバーへの、３、４、５、７などの番手の表示には、従来、番手が表示されたワッペンや、番号表示器が用いられている（特許文献１、特許文献２）。
【先行技術文献】
【特許文献】
【０００３】
【特許文献１】実用新案登録第３１３１２１３号
【特許文献２】実用新案登録第３１３５９７６号
【考案の概要】
【考案が解決しようとする課題】
【０００４】
ワッペンは、３、４、５、７などの番手に対応して複数設けられ、使用する番手のワッペンを面ファスナーなどを介してヘッドカバーに取着するものであり、使用しない番手のワッペンは、何処かにしまっておく必要がある。
したがって、例えば、今まで使用していた番手のフェアウェイウッドを使用しなくなり、違う番手のフェアウェイウッドを使用するような場合、ヘッドカバーに取着するワッペンも変える必要が生じる。
このような場合、ワッペンをしまった場所を忘れたり、紛失した場合には、所望の番手が表示されたワッペンをヘッドカバーに取着できない不具合が生じる。
また、番号表示器は、ヘッドカバーにストラップなどにより取り付けられるケースと、このケースに収容され複数種類の数字が表示された回転板などで構成されている。そして、回転板を回転させることにより、ケースの窓に、所望の番手を位置させるものである。
【０００５】
したがって、ワッペンのように、しまった場所を忘れたり紛失したりすることはないものの、番号表示器は、ケースをストラップなどによりヘッドカバーに取り付ける構成であるので、邪魔にならないようにケース自体は小さいものとなる。
したがって、ケースの窓も小さくなり、窓の内部に表示される番号自体も小さくならざるを得ない。
そのため、番号表示器に接近しないと番手が分からず、瞬時に番手を判断することができない不具合がある。
本考案は前記事情に鑑み案出されたものであって、本考案の目的は、使用しない番手の表示を紛失することがなく、しかも、瞬時に番手を判断することができるゴルフクラブのヘッドカバーを提供することにある。
【課題を解決するための手段】
【０００６】
前記目的を達成するため本考案は、ゴルフクラブのヘッドを覆うヘッドカバー部と、前記ヘッドカバー部に設けられた番手表示手段とを備えるゴルフクラブのヘッドカバーであって、前記番手表示手段は、前記ヘッドカバー部の表面に位置する第１の表面片の表面に設けられた番手表示部と、細長形状を呈し長手方向の両端の両面に互いに異なる番手が表示された番手部を有する番手表示片と、前記第１の表面片とこの第１の表面片の裏側に位置する第２の表面片との間に形成され前記番手表示片の長手方向の半部の挿入を可能とした番手表示片挿入部と、前記番手部を前記番手表示部に着脱可能に保持する保持手段とで構成され、前記番手表示片はその長手方向の半部が前記番手表示片挿入部に挿入され、長手方向の残りの半部が折曲されて前記番手表示部に重ね合わされ前記保持手段を介して前記番手表示部に取着される。
【考案の効果】
【０００７】
本考案では、複数種類の番手部が一枚の番手表示片に設けられており、この番手表示片は、ヘッドカバーに取着されて常時使用されている。したがって、違う番手のフェアウェイウッドを使用するような場合、番手表示片を取り外して、所望の番手部が番手表示部上に位置するように、番手表示片を装着し直せばよい。
したがって、番手毎に設けられた従来のワッペンのように、所望の番手のワッペンをヘッドカバーに取着できないという不具合を解消できる。
また、番手部は番手表示部に重ね合わされて使用されるので、邪魔になることはなく、大きく形成することができる。
したがって、従来の番号表示器のように、接近しないと番手が分からないような不具合はなく、番手を瞬時に判断することができる。
【図面の簡単な説明】
【０００８】
【図１】ゴルフクラブのヘッドカバーの正面図である。
【図２】ゴルフクラブのヘッドカバーの背面図である。
【図３】ゴルフクラブのヘッドカバーの側面図である。
【図４】番手表示片の説明図で、（Ａ）は平面図、（Ｂ）は正面図、（Ｃ）は底面図である。
【図５】番手表示片を折り曲げた状態の説明図である。
【図６】番手表示片の長手方向の半部を番手表示片挿入部に挿入した状態の説明図である。
【図７】（Ａ）は、番手表示片の長手方向の残りの半部を折曲して番手表示部に重ね合わせた状態の説明図、（Ｂ）は（Ａ）のＢＢ断面図である。
【考案を実施するための形態】
【０００９】
以下、本考案を、フェアウェイウッド用のヘッドカバーに適用した実施の形態について図面を参照して説明する。
図１乃至図３に示すように、ゴルフクラブのヘッドカバー１０は、ヘッドカバー部１２と、シャフトカバー部１４と、番手表示手段１６とを含んで構成されている。
なお、ヘッドカバー部１２やシャフトカバー部１４の材料には、合成皮革や合成繊維、植物繊維、あるいはそれらの組み合わせなど、従来公知のさまざまな材料が使用可能である。
【００１０】
ヘッドカバー部１２は、３番ウッド、４番ウッド、５番ウッド、７番ウッドなどの全ての番手のフェアウェイウッドのヘッドが収容できる大きさで形成されている。
シャフトカバー部１４は、フェアウェイウッドのヘッドに続くシャフト部分を覆う箇所である。シャフトカバー部１４は、ヘッドカバー部１２と連続状に設けられている。
本実施の形態では、シャフトカバー部１４は、図３に想像線で示すように、開閉可能な２つの片体１４Ａ、１４Ｂで構成されている。２つの片体１４Ａ、１４Ｂのうちの一方の片体の合わせ部の周囲にマグネットが埋め込まれ、他方の片体の合わせ部の周囲に、前記マグネットに吸着可能な金属などの強磁性体が埋め込まれている。そして、２つの片体１４Ａ、１４Ｂが合わさってシャフト部分を覆う状態が、前記マグネットの磁力により保持されるように構成されている。
【００１１】
番手表示手段１６は、番手表示部１８と、番手表示片２０と、番手表示片挿入部２２と、保持手段２４とを含んで構成されている。
番手表示部１８は、ヘッドカバー１０にフェアフェイウッドが収容された状態で、ヘッドのソール部の上方に位置するヘッドカバー部１２の箇所に設けられている。
収容されたフェアフェイウッドのヘッドのソール部の上方に位置するヘッドカバー部１２の箇所には、図１、図７（Ｂ）に示すように、ソール部を覆う第２の表面片３２と、この第２の表面片３２の上に配置されヘッドカバー部１２の最も表面に位置する第１の表面片３０との２枚の表面片が設けられている。
番手表示部１８は、第１の表面片３０の表面に設けられている。
本実施の形態では、図１に示すように、番手表示部１８に、番手表示片２０の番手部に表示された番手とは異なった番手であるＸの文字が表示されている。
【００１２】
番手表示片挿入部２２は、第１の表面片３０と第２の表面片３２との間に形成され、番手表示片２０の長手方向の半部が挿入できるように構成されている。
第１の表面片３０は、シャフトカバー部１４に対向する曲線状の対向部分を有し、対向部分を除く第１の表面片３０の周囲は第２の表面片３２に取着されている。
そして、対向部分とこの対向部分に接する第２の表面片３２の部分とで、番手表示片挿入部２２に番手表示片２０を挿入する挿入口２２Ａが形成されている。
【００１３】
図４に示すように、番手表示片２０は、幅よりも大きい長さを有する細長形状を呈し、長手方向の両端の両面に互いに異なる番手が表示された番手部２００２を有している。
番手表示片２０の材料には、合成皮革や合成繊維、植物繊維、あるいはそれらの組み合わせなど、従来公知のさまざまな材料が使用可能である。
各番手部２００２には、図４（Ａ）、（Ｃ）に示すように、３、４、５、７の数字が表示されている。
各番手部２００２は、番手表示部１８と同一の大きさか、あるいは、番手表示部１８を覆うように番手表示部１８よりも大きな大きさで形成されている。
【００１４】
番手表示片２０は、番手部２００２よりも小さい寸法の幅で形成され長手方向の両端の番手部２００２を接続する折曲可能な接続片部２０１０を含んで構成されている。
図５に示すように、接続片部２０１０を折り曲げ易いように、接続片部２０１０を、例えば、番手部２００２に比べて薄肉とした薄肉部として形成したり、あるいは、接続片部２０１０に切れ目やミシン目などのような折り曲げ用の切れ線を設けると、簡単に折曲する上で有利となる。
また、両端の番手部２００２には、磁石３４が埋め込まれている。すなわち、番手表示片２０の長手方向の両端には、磁石３４が埋め込まれている。それらの磁石３４は、接続片部２０１０を境に折り曲げて番手部２００２を重ねた際に、互いに吸着できるように、Ｓ極とＮ極の向きが定められて埋め込まれている。
本実施の形態では、それら磁石３４により、番手部２００２を番手表示部１８に着脱可能に保持する保持手段２４が構成されている。
【００１５】
図６に示すように、番手表示片２０はその長手方向の半部が番手表示片挿入部２２に挿入される。
そして、図６に想像線で示すように、指により長手方向の残りの半部が接続片部２０１０で折曲され、図７に示すように、番手部２００２が番手表示部１８に重ね合わされる。これにより保持手段２４を介して所望の番手部２００２が番手表示部１８に取着される。
より詳細には、両端の番手部２００２に埋め込まれた磁石３４が、第１の表示片３０を挟んで互いに吸着し、番手部２００２が番手表示部１８に取着された状態が保持される。
【００１６】
本実施の形態によれば、複数種類の番手部２００２が一枚の番手表示片２０に設けられており、この番手表示片２０は、ヘッドカバー１０に取着されて常時使用されている。
したがって、例えば、今まで使用していた番手のフェアウェイウッドを使用しなくなり、違う番手のフェアウェイウッドを使用するような場合、番手表示片２０を取り外して、所望の番手部２００２が番手表示部１８上に位置するように、番手表示片２０を装着し直せばよい。
したがって、番手毎に設けられた従来のワッペンのように、ワッペンをしまった場所を忘れたり、紛失し、所望の番手のワッペンをヘッドカバー１０に取着できないという不具合を解消できる。
また、番手部２００２は番手表示部１８に重ね合わされて使用されるので、邪魔になることはなく、従来のワッペンのように大きく形成することが可能となる。そのため、従来の番号表示器のように、接近しないと番手が分からないような不具合はなく、番手を瞬時に判断することができる。
【００１７】
なお、保持手段２４の構成には、従来公知の様々な構造が採用可能である。
例えば、番手表示部１８を、番手部２００２が収容できる大きさの孔で形成しておき、実施の形態のように第１の表示片を挟さまずに、両端の番手部２００２に埋め込まれた磁石３４を直接吸着させるようにしてもよい。
また、番手表示部１８に鋼板を埋め込んでおき、保持手段２４を、両端の番手部２００２に埋め込まれた磁石３４と、番手表示部１８に埋め込まれた鋼板とで構成してもよい。あるいは、番手表示部１８に磁石３４を埋め込み、両端の番手部２００２に鋼板を埋め込み、それら磁石３４と鋼板により保持手段２４を構成してもよい。すなわち、保持手段２４を、番手表示部１８に取着された強磁性体または磁石３４の一方と、番手部２００２に取着された強磁性体または磁石３４の他方とで構成してもよい。
あるいは、保持手段２４を、番手表示部１８に取着された面ファスナーと、番手部２００２に取着され前記面ファスナーに着脱可能な面ファスナーとで構成してもよい。
また、本実施の形態では、フェアウェイウッドのヘッドカバー１０について説明したが、本考案は、ユーティリティクラブなどの他のゴルフクラブのヘッドカバー１０にも広く適用される。
【符号の説明】
【００１８】
１０……ヘッドカバー、１２……ヘッドカバー部、１４……シャフトカバー部、１６……番手表示手段、１８……番手表示部、２０……番手表示片、２２……番手表示片挿入部、２４……保持手段。
【図１】
0003154494.tif 000003
【図２】
0003154494.tif 000004
【図３】
0003154494.tif 000005
【図４】
0003154494.tif 000006
【図５】
0003154494.tif 000007
【図６】
0003154494.tif 000008
【図７】
0003154494.tif 000009
【手続補正書】
【提出日】平成21年8月10日(2009.8.10)
【手続補正１】
【補正対象書類名】実用新案登録請求の範囲
【補正対象項目名】請求項３
【補正方法】変更
【補正の内容】
【請求項３】
前記ヘッドカバーは、前記ヘッドカバー部に続きゴルフクラブのシャフト部分を覆うシャフトカバー部をさらに備え、
前記第１の表面片は、前記シャフトカバー部に対向する対向部分を有し、
前記対向部分を除く前記第１の表面片の周囲は前記第２の表面片に取着され、
前記対向部分とこの対向部分に接する第２の表面片の部分とで、前記番手表示片挿入部に前記番手表示片を挿入する挿入口が形成されている、
請求項１または２記載のゴルフクラブのヘッドカバー。